(57)【要約】【課題】ドア開閉状態に関係なく待機電力を削減でる加熱装置を提供する。【解決手段】加熱室１と、ドア４と、被加熱物を加熱する加熱源と、動作内容を設定するキー入力部５と、制御回路１６と、制御回路１６の電源回路１７と、商用電源と電源回路１７との間に介設されてドアの開成／閉成動作でＯＦＦからＯＮを経てＯＦＦ動作するドアスイッチ１４とを備え、ＯＮすることによって商用電源を電源回路１７に接続する電力開閉手段１８をドアスイッチ１４に並列に接続し、制御回路１６は、ドア４の開成／閉成動作によりドアスイッチ１４がＯＮして商用電源から電源回路１７に電力が供給され動作すると、電力開閉手段１８をＯＮさせた後、所定時間動作状態が遷移しない場合は、電力開閉手段１８をＯＦＦさせることにより、ドア４の開閉状態に関係なく電源回路１７への電力供給をオフすることができる。【選択図】図３
2006200757.tif 000002
【特許請求の範囲】
【請求項１】
加熱室を有する加熱装置本体と、前記加熱室の被加熱物の取り出し口に設けられたドアと、被加熱物を加熱する加熱源と、前記加熱源の動作内容を設定するキー入力部と、前記加熱源の動作を制御する制御回路と、前記制御回路の電源となる電源回路と、商用電源と前記電源回路との間に介設されてドアの開成／閉成動作でＯＦＦからＯＮを経てＯＦＦ動作するドアスイッチと、前記ドアスイッチに並列に接続され前記商用電源を前記電源回路に接続する電力開閉手段と備え、前記制御回路は、前記ドアの開成／閉成動作により前記ドアスイッチがＯＮして前記商用電源から前記電源回路に電力が供給されることで動作すると、前記電力開閉手段をＯＮさせる信号を出力し、その後所定時間動作状態が遷移しない場合は、前記電力開閉手段をＯＦＦさせる信号を出力することを特徴とする加熱装置。
【請求項２】
ドアには、加熱室側に突出する係合部を一体に形成したドアキーを備え、加熱装置本体は、前記ドアを閉じた場合に前記加熱装置本体へ挿入される前記ドアキーを保持するドアフックを有し、前記ドアフックが前記係合部と係合あるいは解除する過程において係合部の押下あるいは押上動作により、前記ドアスイッチをＯＮすることを特徴とした請求項１記載の加熱装置。
【請求項３】
ドアには、開閉操作を行うドアハンドルと、前記ドアハンドルと連動し前記加熱室側に突出する係合部を一体に形成したドアキーを備え、加熱装置本体は、前記ドアを閉じた場合に前記加熱装置本体へ挿入される前記ドアキーを保持するドアフックを有し、前記ドアフックが前記係合部と係合あるいは解除する過程において係合部の押下あるいは押上動作により、前記ドアスイッチをＯＮすることを特徴とした請求項１記載の加熱装置。
【請求項４】
ドアの開閉状態を検出するドア開閉検出部を備え、制御部は、前記ドア開閉検出部の検出値に基づき、所定時間を変更すること特徴とする請求項１記載の加熱装置。
【請求項５】
ドアの開閉状態を検出するドア開閉検出部を備え、ドアスイッチのＯＮにより制御回路が動作した後、前記制御回路は電力開閉手段をＯＮすると共に、その後、前記ドア開閉検出部でドアが開いていることを検知した場合は、直ちに前記電力開閉手段をＯＦＦすることを特徴とする請求項１記載の加熱装置。
【請求項６】
ドアの開閉状態を検出するドア開閉検出部を備え、ドアスイッチのＯＮにより制御回路が動作した後、前記制御回路は、前記ドア開閉検出部でドアが開いていることを検知した場合は、前記電力開閉手段をＯＮしないことを特徴とする請求項１記載の加熱装置。
【発明の詳細な説明】
【技術分野】
【０００１】
本発明は電子レンジ等の加熱装置に関し、特に待機時の消費電力を少なくした加熱装置に関するものである。
【背景技術】
【０００２】
マイクロコンピュータ（以下、マイコンと省略する。）を備えた制御回路で制御される高周波加熱装置は、従来装置では加熱調理を行なっていない時でも、キー入力の検出や時計動作等のために、常に制御回路に電力が供給されていた。しかし一日の使用時間が大変短い装置にあってその制御回路に常に電力を供給し続けるのは、たとえ消費される電力が１Ｗといった小さいものであっても、長い時間に亘れば膨大なエネルギーロスとなった。
【０００３】
そこで最近、電子レンジ等の家電機器において待機電力を少なくしようという要求が出てきている。そのための具体的な回路として、商用電源とその電源回路との間にドアスイッチを介設して、ドアの開成でドアスイッチがＯＮ動作し、ドアの閉成でＯＦＦ動作し自己保持する高周波加熱装置がある（例えば、特許文献１参照）。
【０００４】
以下、ドアの開閉動作とドアスイッチが設けられたドア開閉部の関係を、従来の高周波加熱装置のドア開閉部の構成を図６を参照して説明する。
【０００５】
図６は、従来の高周波加熱装置の系合部及びドアスイッチの拡大断面図で、（ａ）はドアが開いた状態、（ｂ）はドアキーの一部が本体側に挿入された状態、（ｃ）はドアが閉じた状態である。同図に示すように、従来のドア開閉部１００は、ドア１０４にドアキー１０７が設けられ、加熱装置本体（図示せず）にドアフック１０９が設けられる。ドアキー１０７は、上下端部近傍に外方に突設した係合部１０７ａ，１０７ｂをそれぞれ有し、上下方向に移動可能にドア１０４に保持されるものである。ドアフック１０９は、係合部１０７ａ，１０７ｂがそれぞれ挿入される挿入口１１０ｃ，１１０ｄと、係合部１０７ａ，１０７ｂの挿入動作をガイドするガイド部１１０ａ，１１０ｂとを有する。ドアフック内には、ドアスイッチ１１１，１１２，１１３,１１４が設けられる。これらドアスイッチのうち、ドアスイッチ１１１，１１３は通常はＯＦＦ状態で、ドアスイッチに設けられた動作部を押下することによりＯＮ状態になる。
【０００６】
また、ドアスイッチ１１２，１１４は通常はＯＮ状態で、ドアスイッチに設けられた動作部を押下することによりＯＦＦ状態になる。ドアが閉まっていない（ａ）、（ｂ）の状態では、ドアスイッチ１１２，１１４は、ＯＮ状態で、ドアスイッチ１１１，１１３はＯＦＦ状態であり、高周波（マイクロ波）を発生するための電源供給部（図示せず）は、商用電源からの回路の接続が遮断されている。また、電源供給部を制御する制御回路（図示せず）は、商用電源から電源回路への回路を閉じて制御回路の動作が可能となる。制御回路が動作すると、制御回路は電力開閉手段（図示せず）をＯＮさせる。
【０００７】
ドア１０４を閉じる場合、ドアキー１０７の係合部及びがドアフック１０９のガイド部１１０ａ，１１０ｂに沿って挿入口１０８ａ，１０８ｂからそれぞれ挿入され、ガイド部１１０ａ，１１０ｂに各係合部１０７ａ，１０７ｂの上側斜面が当接して係止される。このとき、係合部１０７ａがドアスイッチ１１１，１１２の動作部１１１ａ，１１２ａを押下する。一方、係合部１０７ｂがドアスイッチ１１３，１１４の動作部１１３ａ，１１４ａを押下する。
【０００８】
これにより、ドアキー１０７がドアフック１０９に保持されると、ドアスイッチ１１１〜１１４の状態が変化して、ドアスイッチ１１１、１１３はＯＮ状態となり電源供給部に接続される回路が導通する。一方、ドアスイッチ１１２，１１４はＯＦＦ状態となりドアスイッチ１１４から電源回路へ接続は遮断されるが、電力開閉手段がＯＮしていることにより電源回路への回路が閉じているため、制御回路は動作状態は継続される。
【０００９】
これらのドア開閉部の動作により、食品を加熱室に入れるためにドアを開けると、制御回路の電源回路に電力が供給され、マイコンは一定のタイマ時間を設定する。そしてドアが閉められた後タイマ時間の減算を開始し、その間にキー入力信号またはドアスイッチ回路からのドア開閉信号が入力されない場合、残り時間がゼロになった時点で制御回路への電力の供給を遮断するようにしている。
【００１０】
なお、残り時間がゼロになる前にキー入力やドアスイッチ回路からの信号が入力されると、タイマ時間は再設定され、制御回路への電力遮断は延期される。このタイマの時間値については、調理者がキー入力で調理メニューを設定したり、または調理が終了したことを表示回路で確認するのに十分な長さにしてある。また、調理者が食品を加熱室内に入れてドアを閉め、キー入力をした後で、加熱を開始させた時には、マイコンはタイマ減算状態から調理状態となる。そしてマイコンは調理終了後にタイマを再設定して減算を始める。なお、調理プログラムに沿ってドアが開閉されるときには、ドアが開けられてから再び閉められても電子レンジの不使用状態が始まったとは判断しないようにしてあり、あくまでも調理プログラムが完遂された後、ないし調理プログラムが取り消された後の所定のタイマ時間内にドア開閉やキー入力がなかった時にのみ制御回路への電力の供給を遮断するようにしている。そして、制御回路への電力の供給を遮断した後に、ドアが開けられると、制御回路への通電が再開される。
【００１１】
このようにして、調理器として使用されていないときに制御回路への通電が行なわれないようにして無駄な電力を消費しないようにするものである。
【００１２】
しかしながら、この電子レンジでは、ドアを閉じなければ従来通りの電力を消費してしまい、待機電力をＯＦＦするためには、必ずドアを閉じておかねばならないという欠点を有していた。電子レンジは調理終了後オーブン庫内が非常に熱くなっているため、ドアを開けた状態で冷却する人も多く、場合によってはドアを開けっ放しにしている人もいるのが実状であるが、この場合は全く省電力にはならなかった。
【００１３】
この欠点を解決するものとして、ドアの開閉状態に関わらず、非使用時の電力を低減した家電機器が提案された（例えば、特許文献２参照）。
【００１４】
特許文献２記載の発明によれば、ドアの開成／閉成があったことを微分で検知したら制御回路を自己保持させ、その後、所定時間経過しても新たにドアの開成／閉成がないとき、または入力がないときは、制御回路への電力供給をＯＦＦさせるようにしている。
【００１５】
このようにすれば、ドアの開成及び閉成の如何に関わらず、ドアを操作して初めて電力開閉手段がＯＮし、マイコン及び周辺回路といった制御手段に電力が供給され、所定時間中に動作が遷移しない場合は、ドアの開成及び閉成の如何に関わらず、制御手段への電力の供給をＯＦＦすることができるようになった。
【００１６】
このようにすれば、ドアを開けっ放しにしていてもやがて制御手段への電力の供給がＯＦＦされるので、省エネルギーとなった。
【００１７】
しかしながら、前記従来の電子レンジでは、ドアの開成／閉成があったことを微分で検知し制御回路を自己保持させるための回路が必要となるとともに、この回路をいつでも動作できる電源が必要となった。この電源は、機器全体の待機時の消費電力を少なくするために、機器の待機状態での電力ロスをできるだけ少なくする必要があった。このため、電源回路には、一般に言われるトランス方式からスイッチング電源方式が用いられていた。
【特許文献１】特開平７−２１７９０６号公報
【特許文献２】特開２００２−２２１８１号公報
【発明の開示】
【発明が解決しようとする課題】
【００１８】
本発明は、上記従来の事情に鑑みてなされたものであって、スイッチング電源方式に限定されることなくトランス方式の電源でも、ドアの開閉状態に関係なく待機時の消費電力を極力少なくした加熱装置を提供することを目的とする。
【課題を解決するための手段】
【００１９】
前記従来の課題を解決するために、本発明の加熱装置は、加熱室を有する加熱装置本体と、前記加熱室の被加熱物の取り出し口に設けられたドアと、被加熱物を加熱する加熱源と、前記加熱源の動作内容を設定するキー入力部と、前記加熱源の動作を制御する制御回路と、前記制御回路の電源となる電源回路と、商用電源と前記電源回路との間に介設されてドアの開成／閉成動作でＯＦＦからＯＮを経てＯＦＦ動作するドアスイッチと、前記ドアスイッチに並列に接続され前記商用電源を前記電源回路に接続する電力開閉手段と備え、前記制御回路は、前記ドアの開成／閉成動作により前記ドアスイッチがＯＮして前記商用電源から前記電源回路に電力が供給されることで動作すると、前記電力開閉手段をＯＮさせる信号を出力し、その後所定時間動作状態が遷移しない場合は、前記電力開閉手段をＯＦＦさせる信号を出力するようにしたもので、ドアが開かれた状態においても電源回路への電力の供給を停止することができるため、不要な電力消費を抑えることができる。
【発明の効果】
【００２０】
本発明の加熱装置は、加熱装置のドアの開閉状態に関係なく商用電源から電源回路への電力供給を遮断することにより、ドアを開いた状態での待機中における加熱装置の電力消費を極力抑えることのできる。
【発明を実施するための最良の形態】
【００２１】
第１の発明は、加熱室を有する加熱装置本体と、前記加熱室の被加熱物の取り出し口に設けられたドアと、被加熱物を加熱する加熱源と、前記加熱源の動作内容を設定するキー入力部と、前記加熱源の動作を制御する制御回路と、前記制御回路の電源となる電源回路と、商用電源と前記電源回路との間に介設されてドアの開成／閉成動作でＯＦＦからＯＮを経てＯＦＦ動作するドアスイッチと、前記ドアスイッチに並列に接続され前記商用電源を前記電源回路に接続する電力開閉手段と備え、前記制御回路は、前記ドアの開成／閉成動作により前記ドアスイッチがＯＮして前記商用電源から前記電源回路に電力が供給されることで動作すると、前記電力開閉手段をＯＮさせる信号を出力し、その後所定時間動作状態が遷移しない場合は、前記電力開閉手段をＯＦＦさせる信号を出力するようにしたことにより、不要な電力消費を極力抑えることができる。
【００２２】
第２の発明は、特に、第１の発明のドアには、加熱室側に突出する係合部を一体に形成したドアキーを備え、加熱装置本体は、前記ドアを閉じた場合に前記加熱装置本体へ挿入される前記ドアキーを保持するドアフックを有し、前記ドアフックが前記係合部と係合あるいは解除する過程において係合部の押下あるいは押上動作により、前記ドアスイッチをＯＮするようにしたことで、ドアの開成／閉成動作でＯＦＦからＯＮを経てＯＦＦ動作するドアスイッチを構成することができる。
【００２３】
第３の発明は、特に、第１の発明のドアには、開閉操作を行うドアハンドルと、前記ドアハンドルと連動し前記加熱室側に突出する係合部を一体に形成したドアキーを備え、加熱装置本体は、前記ドアを閉じた場合に前記加熱装置本体へ挿入される前記ドアキーを保持するドアフックを有し、前記ドアフックが前記係合部と係合あるいは解除する過程において係合部の押下あるいは押上動作により、前記ドアスイッチをＯＮすることにより、ドアを開かなくても、ドアハンドルの操作で加熱装置を待機状態から動作動作状態にへ移行させることができる。
【００２４】
第４の発明は、特に、第１の発明において、ドアの開閉状態を検出するドア開閉検出部を備え、制御部は、前記ドア開閉検出部の検出値に基づき、所定時間を変更すること特徴としたもので、電源をＯＮしておく必要がないドアを開いた状態においては、所定時間を短くすることにより、ドアが開かれたまま放置されたときの電力消費を極力抑えることができる。
【００２５】
第５の発明は、特に、第１の発明において、ドアの開閉状態を検出するドア開閉検出部を備え、ドアスイッチのＯＮにより制御回路が動作した後、前記制御回路は電力開閉手段をＯＮすると共に、その後、前記ドア開閉検出部でドアが開いていることを検知した場合は、直ちに前記電力開閉手段をＯＦＦすることを特徴とするもので、ドアが開かれたまま放置されたときの電力消費を最大限抑えることができる。
【００２６】
第６の発明は、特に、第１の発明において、ドアの開閉状態を検出するドア開閉検出部を備え、ドアスイッチのＯＮにより制御回路が動作した後、前記制御回路は、前記ドア開閉検出部でドアが開いていることを検知した場合は、前記電力開閉手段をＯＮしないことを特徴とするもので、ドア開時の電力消費を皆無とすることができる。
【００２７】
以下、本発明の実施の形態について、図面を参照しながら説明する。なお、この実施の形態によって本発明が限定されるものではない。
【００２８】
（実施の形態１）
図１は、本発明の第１実施の形態を説明するためのドア開閉部を有する高周波加熱装置の概略構成を示す外観図である。同図に示すように、高周波加熱装置（以下、単に加熱装置とも言う。）１は、前面開放の箱形の加熱装置本体２内部に加熱室３が形成されており、加熱装置本体２の前面に、加熱室３の被加熱物取出口を開閉する透光窓４ａ付きのドア４が設けられ、加熱室３の一側方となる右側にはキー入力部５が設けられている。ドア４は、他側方となる左端が加熱装置本体２の左縁にヒンジ結合されることで、左右方向に開閉可能となっており、右端の略中央に装備されたハンドル６を手前に引くことによって、開いた状態にすることができる。
【００２９】
ドア４は、右端内部にドアキー７（図１、図２参照）を有し、上方及び下方からドアキー７の係合部７ａ，７ｂを加熱室３側にそれぞれ突出させている。また、加熱装置本体２は、被加熱物取出口の右側に、ドア４を閉じた場合に係合部７ａ，７ｂが挿入される挿入口８ａ，８ｂを有する。
【００３０】
ドアフック９は、加熱装置本体２の挿入口８ａ，８ｂの位置に、ドア４を閉じるときに係合部７ａ，７ｂが挿入される挿入口１０ｃ，１０ｄを有し、挿入口１０ｃ，１０ｄ上部からドアフック９内へ斜め下方向に、ドアキー７の挿入動作をガイドするガイド部１０ａ，１０ｂがそれぞれ設けられている。また、ドアフック９内には、ドアスイッチ１１〜１４が設けられる。
【００３１】
被加熱物を加熱する加熱源は、マイクロ波を発生するマグネトロン（図示せず）とマグネトロンを駆動する電源である電源供給部１５で構成されており、制御回路１６がリレー２１をオンさせて商用電源より電源を供給することで加熱源を動作させている。
【００３２】
ドアスイッチ１１〜１４は、ドア４が閉まっているか否かを検出するものであり、詳細は後述するが、ドア４が閉まっているときは、マグネトロンを駆動してマイクロ波を発生するための電源供給部１５への回路を閉じて電源供給部１５を動作可能にし、ドア４が開いているときはこの電源供給部１５の接続を遮断する。ドアスイッチ１１〜１４は、押下されることによってスイッチのオン・オフを切り替える動作部１１ａ〜１４ａをそれぞれ有する。ドアスイッチ１１は電源供給部１５への電源供給を行うスイッチであり、ドアスイッチ１２はドアスイッチ１１が万一ショート故障したときに電源とのショート回路を構成して電流ヒューズ２０を溶断させて安全を確保するためのスイッチであり、ドアスイッチ１３は制御回路１６においてドアの開閉を検知するためのドア信号スイッチであり、スイッチ１４はドアの開閉時に電源回路１７に一時的に通電を行ための起動スイッチである。
【００３３】
次に、図２及び図３を参照してドアスイッチ１１〜１４を含む一次側の回路の電気的な動作を詳細に説明する。図３は本発明の第１の実施の形態のドア開閉部における回路図の一例を示す図を示し、ドアが閉じられた状態（図２の（Ｃ）参照）を示している。また、電力開閉手段１８は開いた状態であり、高周波加熱装置の待機状態であること示している。１９は、商用電源に繋がれるコンセントである。２０はヒューズである。このヒューズ２０とドアスイッチ１１とドアスイッチ１２によりモニター回路を構成している。ドアを開くことで回路を開きマイクロ波の出力を停止する機能を有しているドアスイッチ１１がショート故障した場合に、ドアスイッチ１２の働きによりショート回路が形成され速やかにヒューズ２０を溶断させ装置を停止されるものである。ドアスイッチ１１，ドア信号スイッチ１３，ドアスイッチ１４は、動作部１１ａ，１３ａ，１４ａが押下されることによってオンし、ドアスイッチ１２は、動作部１２ａが押下されることによってオフする。
【００３４】
図２の（ａ）に示すように、ドア４が開いた状態においては、ドアスイッチ１１，１３，１４がオフし、ドアスイッチ１２がオンしている。したがって、この状態では、ドアスイッチ１４はオフしており電力開閉手段１８がオンしていない場合は電源回路１７は商用電源１９から切り離されており待機状態となっている。図２の（ｂ）に示すように、ドア４を閉める過程において、ドアキー７の係合部７ａ，７ｂは、ドアフック９のガイド部１０ａ，１０ｂに沿って押し下げられ、ドアスイッチ１４の動作部１４ａを押下し、ドアスイッチ１４がオンする。ドアスイッチ１４がオンすることで電源回路１７が商用電源と接続される。電源回路１７から電力が制御回路１６に供給されると、制御回路１６は、直ちに電力開閉手段１８をオンさせる。
【００３５】
次に、図２の（ｃ）に示すように完全にドアが閉められると、係合部７ａ，７ｂはガイド部１０ａ，１０ｂに各係合部７ａ，７ｂの上側斜面が当接して係止される。このとき、ドアスイッチ１１〜１４の動作部１１ａ〜１４ａは押下されており、ドアスイッチ１１，１３はオンしており、ドアスイッチ１２，１４はオフしている。また、この状態で所定時間状態が遷移しないときは、制御回路１６は電力開閉手段１８をオフすることで、待機状態とすることができる。
【００３６】
次に、ドア４を開く場合は、ドア４を閉じた状態（Ｃ）から、ドア４のハンドル６を引くと、ドアキー７の係合部７ａ，７ｂがガイド部１０ａ，１０ｂの下端に沿って押し下げられ、ドアスイッチ１４の動作部１４ａを押下する。これによりドアスイッチ１４がオンする。電力開閉手段１８がオフしている待機状態の場合には、制御回路１６が動作し電力開閉手段１８をオンする。ドア４が完全に開かれると、ドアスイッチ１１，１３，１４はオフしており、ドアスイッチ１２はオンしている。また、この状態で所定時間状態が遷移しないときは、制御回路１６は電力開閉手段１８をオフすることで、待機状態とすることができる。
【００３７】
以上のように、本実施の形態においては、ドアの開閉状態に関係なく、待機状態では、電源回路への電力供給を遮断することができるため、より待機時の電力消費を低減した高周波加熱装置を提供することができる。
【００３８】
また、制御回路１６は、電力開閉手段１８をオンした後に、ドア信号スイッチ１３の開閉状態を制御回路１６に設けられたドア開閉検出部２２で検出することにより、ドア４が開かれて起動したか、或いは、ドア４が閉じられて起動したのかを判断することができる。この機能を使えば、例えば、ドアが開かれて起動した場合は、電力開閉手段を直ぐにオフすることで、加熱装置が使用可能なドアが閉じられた状態からのみ電力開閉手段をオンを継続することで極力無駄な電力消費を抑えることができる。
【００３９】
（実施の形態２）
図４は、本発明の第２の実施の形態を説明するためのドアキーと連動するドアハンドルを有する高周波加熱装置の概略構成を示す外観図である。図５は、本発明の第２の実施の形態の係合部及びドアハンドル及びドアスイッチの拡大の断面図である。前述の第１の実施の形態との違いは、ドアハンドル２３の操作と連動してドアキー７が上下に動く点が異なる。その他の構成は、同様であり、相違する部分のみ説明する。
【００４０】
本発明の特徴部分であるドアハンドル２３の操作で高周波加熱装置が待機状態から動作状態へ移行する起動操作について、図３及び図５を用いて説明する。
【００４１】
まず、操作手順として、高周波加熱装置が待機状態において、言い換えると電力開閉手段１８（図３を参照）がオフしている状態において、例えば、ドア４が閉じている場合を説明すると、ドアキー７の係合部７ａ,７ｂはガイド部１０ａ，１０ｂに各係合部７ａ，７ｂの上側斜面が当接して係止されている。このとき、ドアスイッチ１１〜１３の動作部１１ａ〜１４ａは押下されており、ドアスイッチ１１，１３はオンしており、ドアスイッチ１２，１４はオフしている。
【００４２】
次に、使用者が、ドアハンドル２３を引き上げ操作すると、ドアハンドル２３がドアキー７を引き下げる。これにより、ドアキー７の係合部７ａ，７ｂはガイド部１０ａ,１０ｂの下端に沿って引き下げられドアスイッチ１４の動作部１４ａを押下する。また、このときドアスイッチ１１,１３はオフしており、ドアスイッチ１２,１４はオンとなる。ドアスイッチ１４がオンすることで電源回路１７が商用電源と接続されることで制御回路１６が動作し、制御回路１６は電力開閉手段１８をオンさせる。
【００４３】
そして、ドアハンドル２３を元の状態した場合、ドアスイッチ１４はオフするが、電力開閉手段１８のオンが継続される為、所定時間状態が遷移しない限り動作状態となる。また、ドアハンドル２３を引き上げ操作しドアキー７の係合部７ａ,７ｂの係止を解除しドア４を開けた場合も、ドアスイッチ１４はオフするが、電力開閉手段１８のオンが継続される為、所定時間状態が遷移しない限り動作状態となる。
【００４４】
そして、いずれの場合においても、所定時間状態が遷移しない場合は、ドア４の開閉状態に関わらず、電力開閉手段１８をオフすることで電源回路１７と商用電源との接続を切ることができる。
【００４５】
また、制御回路１６は、電力開閉手段１８をオンした後に、ドア信号スイッチ１３の開閉状態を制御回路１６に設けられたドア開閉検出部２２で検出することにより、ドアハンドル２３の引き上げ操作のみで起動したか、或いは、ドア４が完全に開かれ起動したのかを判断することができる。この機能を使えば、例えば、ドアが開かれて起動した場合は、電力開閉手段を直ぐにオフすることで、加熱装置が使用可能なドアが閉じられた状態からのみ電力開閉手段をオンを継続することで極力無駄な電力消費を抑えることができる。
【００４６】
更に、ドアスイッチ１４のオンで制御回路１６が起動した後、電力開閉手段１８をオンせずにドア開閉検出部２２によるドアの開閉検出を行うようにすることで、電力開閉手段１８をオンせずにオフを維持するも可能となり、この場合更に消費電力を抑えることが可能となる。具体的な方法としては、電源回路１７に蓄電手段を設けて、電力開閉手段１８をオンしなくてもある程度の時間制御回路１６を動作可能とする、あるいは、ドア開閉検出部２２によるドアの開閉検出を単時間で行うことができるようにするなどが考えられる。
【００４７】
次に、ドア４を閉める操作で高周波加熱装置を起動する場合については、実施の形態１と同様であるので説明は省略する。
【００４８】
以上のように、本実施の形態においてはドアの開閉状態に関係なく電源回路と商用電源との接続をオフすることができるため、より待機電力を少なくした加熱装置を実現することができる。また、加熱装置の待機状態からキー入力等の操作可能な状態への起動操作がドアを開けなくてもドアハンドルの操作により簡単にできるようになる。
【産業上の利用可能性】
【００４９】
以上のように、本発明にかかる加熱装置のドアスイッチを含むドア開閉部の構成は、ドア開閉状態に関係なく待機電力を低減することができる特徴を有し、電子レンジやオーブン等のドアを有する機器に有効である。
【図面の簡単な説明】
【００５０】
【図１】本発明の第１の実施の形態を説明するためのドア開閉部を有する高周波加熱装置の概略構成を示す外観図
【図２】（ａ）本発明の第１の実施の形態のドアが開いた状態における系合部及びドアスイッチの拡大断面図（ｂ）同実施の形態のドアキーの一部が本体側に挿入された状態における系合部及びドアスイッチの拡大断面図（ｃ）同実施の形態のドアが閉じた状態における系合部及びドアスイッチの拡大断面図
【図３】本発明の第１の実施の形態のドア開閉部における回路図
【図４】本発明の第２の実施の形態を説明するためのドアキーと連動するドアハンドルを有する高周波加熱装置の概略構成を示す外観図
【図５】本発明の第２の実施の形態の係合部及びドアハンドル及びドアスイッチの拡大断面図
【図６】（ａ）従来の高周波加熱装置のドアが開いた状態における系合部及びドアスイッチの拡大断面図（ｂ）従来の高周波加熱装置のドアキーの一部が本体側に挿入された状態における系合部及びドアスイッチの拡大断面図（ｃ）従来の高周波加熱装置のドアが閉じた状態における系合部及びドアスイッチの拡大断面図
【符号の説明】
【００５１】
１  高周波加熱装置
２  加熱装置本体
３  加熱室
４  ドア
５  キー入力部
６，２３  ハンドル
７  ドアキー
７ａ，７ｂ  係合部
８ａ，８ｂ  挿入口
９  ドアフック
１０ａ，１０ｂ  ガイド部
１１，１２，１３，１４  ドアスイッチ
１１ａ，１２ａ，１３ａ，１４ａ  動作部
１５  電源供給部
１６  制御回路
１７  電源回路
１８  電力開閉手段
１９  コンセント
２０  ヒューズ
２１  リレー
２２  ドア開閉検出部
【図１】
2006200757.tif 000003
【図２】
2006200757.tif 000004
【図３】
2006200757.tif 000005
【図４】
2006200757.tif 000006
【図５】
2006200757.tif 000007
【図６】
2006200757.tif 000008